(57)【要約】【課題】シール性を確実にし、便座表面に出てくるひけを抑え、美観を損ねない便座ユニットにすること。【解決手段】便座表面板１０と便座裏板１１との一対より形成してなる便座ユニットにおいて、便座表面板と便座裏板のいずれか一方の内周部および外周部に単条の凸状リブ１４を設け、かつ他方の内周部および外周部に前記凸状リブに嵌合する凹状溝１７を設けるとともに、前記凹状のリブに複数のツメ部２０を設け、前記凸状リブ側にアーチ形状のツメ嵌合係止部２１を設け、凸部と凹状は全周にわたって同形状のリブや溝が形成されて、一部の切れ目もない構成となり、液状シール材または弾性体を挿入しても液状シールの流出を防ぎ、弾性体を確実に押さえて、シール性を確実にし、局所的な厚肉部分がないため、便座表面に出てくるひけをなくし、美観を損ねない表面を得ることができる。【選択図】図３
2005177221.tif 000002
【特許請求の範囲】
【請求項１】
便座表面板と便座裏板との一対より形成してなる便座ユニットにおいて、便座表面板と便座裏板のいずれか一方の内周部および外周部に単条の凸状リブを設け、かつ他方の内周部および外周部に前記凸状リブに嵌合する凹状溝を設けるとともに、前記凹状のリブに複数のツメ部を設け、前記凸状リブ側にアーチ形状のツメ嵌合係止部を設けた便座ユニット。
【発明の詳細な説明】
【技術分野】
【０００１】
本発明は、トイレで使用する便座ユニットに関するものである。
【背景技術】
【０００２】
従来、この種の便座ユニットは図４のような断面構造をしている（例えば、特許文献１参照）。
【０００３】
図４に示すように、便座表面板１か便座裏板２のいずれか一方の周縁接着面に凹溝３を設けると共に内部に係止部４を突出させ、もう一方の周縁接着面に前記凹溝３に嵌着する部分にリブ５を設けると共に凹溝に凸部のリブが嵌入された際に係止部４に係着される係止片６から構成されている。
【特許文献１】特開平１０−２６２８６４号公報
【発明の開示】
【発明が解決しようとする課題】
【０００４】
しかしながら、実際に従来の構成をしようとすれば、便座ユニットには通常樹脂成形品からなることから、係止片６の係止部６ａはアンダーカットになり、金型は水平方向にスライドする構成になるため、係止片６に対向する凸部のリブ５はなくなり平らに形成される。そのため凹溝３に嵌着する凸部のリブ５の間に隙間７が生じ、凹溝３の内側リブの壁がなくなり、液状シール材または弾性体を挿入しても液状シールが流れ出たり、弾性体を確実に押さえることができないため、シール性が完全ではなかったという課題を有していた。
【０００５】
また、便座表面板の内部に係止部４を設けるため、肉厚が均一にならず、局所的に厚肉部分と薄肉部分とができる。この樹脂成形品において肉厚の差が生じると、樹脂冷却時にひけが生じる。このひけは便座表面にもひけを生じて表面が窪んだようになり、また、便座裏板２との接合境界端面８が水平一直線にならずに上下に波打つことにより便座裏板２との間に隙間が生じ、美観を損ねるという課題も生じていた。
【０００６】
本発明は、前記従来の課題を解決するもので、シール性を確実にし、美観を損ねない便座ユニットを提供することを目的とする。
【課題を解決するための手段】
【０００７】
前記従来の課題を解決するために、本発明の便座ユニットは、凹状のリブに複数のツメ部を設け、凸状リブ側にアーチ形状のツメ嵌合係止部を設けたものである。
【０００８】
これによって、凸部と凹状は全周にわたって同形状のリブや溝が形成されて、一部の切れ目もない構成となる。
【発明の効果】
【０００９】
本発明の便座ユニットは、凸部と凹状は全周にわたって同形状のリブや溝が形成されて、一部の切れ目もない構成のため、液状シール材または弾性体を挿入しても液状シールの流出を防ぎ、弾性体を確実に押さえることができ、シール性を確実に確保できる。
【００１０】
また、便座表面板のツメ部は表面に影響を及ぼさない凹溝の内側リブの便座内側側面に設けてあるため、便座表面に出てくるひけを抑えることができ、また外郭の肉厚は均等になるため、便座裏板との接合境界端面が一直線になり、便座裏板との間に隙間が生じることがなく、美観を損ねない表面を得ることができる。
【発明を実施するための最良の形態】
【００１１】
第１の発明は便座表面板と便座裏板との一対より形成してなる便座ユニットにおいて、便座表面板と便座裏板のいずれか一方の内周部および外周部に単条の凸状リブを設け、かつ他方の内周部および外周部に前記凸状リブに嵌合する凹状溝を設けるとともに、前記凹状のリブに複数のツメ部を設け、前記凸状リブ側にアーチ形状のツメ嵌合係止部を設け、凸部と凹状は全周にわたって同形状のリブや溝が形成されて、一部の切れ目もない構成）となり、液状シール材または弾性体を挿入しても液状シールの流出を防ぎ、弾性体を確実に押さえることができるので、シール性を確実に確保することができる。
【００１２】
また、便座表面板のツメ部は表面に影響を及ぼさない凹溝の内側リブの便座内側側面に設けてあるため、便座表面に出てくるひけを抑えることができ、美観を損ねない表面を得ることができる。
【００１３】
（実施の形態１）
図１は、本発明の第１の実施の形態における便座ユニットの嵌合前の斜視図、図２は便座ユニトの断面図、図３は便座ユニットの要部断面拡大図を示すものである。
【００１４】
図１、２、３において、便座表面板１０と便座裏板１１は樹脂成形品であり、便座裏板１１内周部１２および外周部１３には単条の凸状リブ１４を設け、かつ他方の便座表面板１０の内周部１５および外周部１６に前記凸状リブ１４に嵌合する凹状溝１７を設けている。前記凹状溝１７の内側リブ１８の便座内側側面１９に複数のツメ部２０を設け、前記ツメ部２０に対向する便座裏板１１の凸状リブ１４の内部側にアーチ形状のツメ嵌合係止部２１を構成している。以上のように構成された便座ユニットについて、以下その動作、作用を説明する。
【００１５】
まず、便座表面板１０において、複数のツメ部２０は凹状溝１７の断面形状を損なうことなく、凹状溝１７の内側リブ１８にツメ部２０の略三角形の断面形状が追加された形である。そのため全周に渡って同一凹状溝形状が確保される。一方、前記ツメ部２０に対向する便座裏板１１のアーチ形状の嵌合係止部２１は凸状リブ１４の形状に係わることなく単独で構成されている。そのため、便座裏板１１の凸状リブ１４の断面形状についても全周に渡って同一凸状リブ形状が確保される。
【００１６】
以上のように、本実施の形態においては、凹状のリブに複数のツメ部を設け、凸状リブ側にアーチ形状のツメ嵌合係止部を設けることにより、凸部と凹状は全周にわたって同形状のリブや溝が形成されて、一部の切れ目もない構成となり、液状シール材または弾性体を挿入しても液状シールの流出を防ぎ、弾性体を確実に押さえることができ、シール性を確実に確保することができる。
【００１７】
また、便座表面板のツメ部は表面に影響を及ぼさない凹溝の内側リブの便座内側側面に設けてあるため、便座表面に出てくるひけを抑えることができ、美観を損ねない表面を得ることができる。
【産業上の利用可能性】
【００１８】
以上のように、本発明にかかる便座ユニットは、樹脂成形品の嵌合においてシール性を確実にすることが可能となるので、その他の樹脂成形品を嵌合して組み立てる部品等の用途にも適用できる。
【図面の簡単な説明】
【００１９】
【図１】本発明の実施の形態１における便座ユニットの嵌合前斜視図
【図２】本発明の実施の形態１における便座ユニットの断面図
【図３】本発明の実施の形態１における便座ユニットの要部断面拡大図
【図４】従来の便座ユニットの断面図
【符号の説明】
【００２０】
１０  便座表面板
１１  便座裏板
１２  便座裏板内周部
１３  便座裏板外周部
１４  凸状リブ
１５  便座表面板の内周部
１６  便座表面板の外周部
１７  凹状溝
２０  ツメ部
２１  ツメ嵌合係止部
【図１】
2005177221.tif 000003
【図２】
2005177221.tif 000004
【図３】
2005177221.tif 000005
【図４】
2005177221.tif 000006